(57)【特許請求の範囲】
【請求項１】
ディジタル放送のオリジナルの放送受信デ−タの内容全体を示す画像範囲から、画面に表示させる領域を設定する表示領域設定処理手段と、 該表示領域設定処理手段により設定された表示領域に応じて前記オリジナルの放送受信データの情報量を間引いて、前記設定された表示領域の放送受信データを前記画面に表示させる制御手段と、
全画面表示に切り換えるか否かを判断する全画面表示切換判断手段とを備え、  前記制御手段が、前記全画面表示切換判断手段により全画面表示に切り換えると判断された場合、前記オリジナルの放送受信デ−タで定まる表示領域全体を前記画面に表示させるように、前記オリジナルの放送受信デ−タの情報量を間引く制御を行うものであることを特徴とする表示装置。
【請求項２】
前記オリジナルの放送受信データの内容全体を示す画像範囲から、前記画面に表示させる領域の大きさ情報を使用者が登録するための表示領域情報登録手段と、
該表示領域情報登録手段により登録された大きさ情報を含む前記表示領域の大きさ情報が記憶される表示領域情報記憶手段と、
該表示領域情報記憶手段に記憶された前記表示領域の大きさ情報の中から使用者が所望の大きさの表示領域を設定するための表示領域設定可能手段とを備え、  前記制御手段が、前記表示領域設定可能手段により設定された表示領域の放送受信データを前記画面に表示させるように、前記オリジナルの放送受信デ−タの情報量を間引く制御を行うものであることを特徴とする請求項１記載の表示装置。
【請求項３】
画面上の位置を指定することのできる位置指定手段を備え、  前記制御手段が、前記位置指定手段により画面上の位置が指定された場合、指定された位置の表示画像を前記画面の中心部に位置させて表示させるものであることを特徴とする請求項１又は請求項２記載の表示装置。
【請求項４】
前記制御手段が、前記位置指定手段により指定された位置の表示画像を前記画面の中心部に位置させて表示させる場合、予め設定された表示領域を表示させるように、前記オリジナルの放送受信デ−タの情報量を間引く制御を行うものであることを特徴とする請求項３記載の表示装置。
【請求項５】
前記全画面表示切換判断手段が、表示チャンネルの変更があった場合に前記全画面表示に切り換えると判断するものであることを特徴とする請求項１〜４のいずれかの項に記載の表示装置。
【請求項６】
前記全画面表示切換判断手段が、表示番組が変わった場合に前記全画面表示に切り換えると判断するものであることを特徴とする請求項１〜４のいずれかの項に記載の表示装置。
【請求項７】
車両が走行中であるか否かを判断する車両走行判断手段と、  該車両走行判断手段により車両が走行中であると判断された場合、使用者による操作を禁止する設定を行う操作禁止設定手段とを備えていることを特徴とする請求項１〜６のいずれかの項に記載の表示装置。
【請求項８】
前記制御手段が、前記車両走行判断手段により車両が走行中であると判断された場合、前記放送受信デ−タの表示を中断させるものであることを特徴とする請求項７記載の表示装置。
【請求項９】
前記制御手段が、前記車両走行判断手段により車両が走行中であると判断された場合、前記放送受信デ−タをコマ送りにして表示させるものであることを特徴とする請求項７記載の表示装置。
【請求項１０】
運転手による操作か否かを検出する運転手操作検出手段で検出された運転手操作検出信号に基づいて、前記運転手による操作か否かを判断する運転手操作判断手段と、
該運転手操作判断手段により前記運転手による操作ではないと判断された場合、前記車両が走行中であっても、前記運転手以外の使用者による操作を許可する設定を行う操作許可設定手段とを備えていることを特徴とする請求項７記載の表示装置。
【発明の詳細な説明】
【０００１】
【発明の属する技術分野】
本発明は表示装置に関し、より詳細にはディジタル放送の放送受信デ−タを画面に表示させることのできる表示装置に関する。
【０００２】
【従来の技術】
２０００年１２月からＢＳディジタル放送が開始され、ディジタル放送の時代に本格的に突入し、また、地上波のディジタル放送も数年後の開始を目標に準備が進められている。
【０００３】
ＢＳディジタル放送では、高画質でワイドなテレビ番組（ディジタルハイビジョン放送）主体で放送されるようになっている。ディジタルハイビジョン放送は、有効走査線数１０８０、有効水平画素数１９２０、アスペクト比１６：９の映像フォ−マット等で構成されており、また、文字や図形や映像等のマルチメディアコンテンツを含むデ−タ放送も同様の映像フォ−マットで構成されるようになっている。
【０００４】
しかしながら、このような映像フォ−マットで構成されたディジタルハイビジョン放送を高画質の映像で忠実に再現させるためには、ディジタルハイビジョンに対応した高精細な表示ディスプレイを備えた表示装置が必要であり、このようなディジタルハイビジョン対応の表示装置でないと、高画質の映像を堪能することができない。
【０００５】
ディジタルハイビジョン対応の表示装置は、現行のアスペクト比４：３のアナログの表示装置（有効走査線数４８０、有効水平画素数７２０）と比べて、解像度は水平垂直ともに２倍以上の表現能力が要求され、また、ディジタルハイビジョン放送を見るには、画面が大きいほど、その良さが発揮されることから、家庭用の表示装置では、画面の大型化及び高精細化のための開発が進められている。
【０００６】
一方、車載用や携帯用等の小型の表示装置においても、画面の高精細化が進んでいるが、車載用の表示装置の場合、画面サイズは通常５インチから７インチ程度で大きくても８インチ程度であり、家庭用の表示装置と比較して、圧倒的に画面サイズが小さく、また、画面サイズが小さいために解像度も低いものとなっている。
【０００７】
【発明が解決しようとする課題】
このように車載用や携帯用の小型の表示装置では、今後、画面の高精細化のための開発は進んでいくとしても、車内での取り付けスペ−スの制約や携帯性の点から、画面サイズが現行サイズから極端に大きくなることは期待できない。
【０００８】
したがって、画面サイズが小さいために、ディジタル放送などの情報量の多い放送受信デ−タを、家庭用の大画面の表示装置に表示するのと同様に表示させても、文字や映像等が小さく表示されるだけで見えにくく、使用者に内容を十分に把握させることができないという課題があった。
【０００９】
本発明は上記課題に鑑みなされたものであって、ディジタル放送の放送受信デ−タを見やすいように表示することのできる表示装置を提供することを目的としている。
【００１０】
【課題を解決するための手段及びその効果】
上記目的を達成するために本発明に係る表示装置（１）は、ディジタル放送のオリジナルの放送受信デ−タの内容全体を示す画像範囲から、画面に表示させる領域を設定する表示領域設定処理手段と、該表示領域設定処理手段により設定された表示領域に応じて前記オリジナルの放送受信データの情報量を間引いて、前記設定された表示領域の放送受信データを前記画面に表示させる制御手段と、全画面表示に切り換えるか否かを判断する全画面表示切換判断手段とを備え、前記制御手段が、前記全画面表示切換判断手段により全画面表示に切り換えると判断された場合、前記オリジナルの放送受信デ−タで定まる表示領域全体を前記画面に表示させるように、前記オリジナルの放送受信デ−タの情報量を間引く制御を行うものであることを特徴としている。
【００１１】
上記表示装置（１）によれば、前記表示領域設定処理手段によって、前記オリジナルの放送受信デ−タの内容全体を示す画像範囲から、画面に表示させる領域を設定することができ、該設定された表示領域の放送受信データを、該設定された表示領域に応じて前記オリジナルの放送受信デ−タの情報量を間引いた形態で前記画面に表示させることができる。
したがって、例えば、解像度が十分ではない画面に、当該画面よりも大きな情報量を持つオリジナルの放送受信データを表示させる場合において、前記表示領域設定処理手段により設定された表示領域が、オリジナルの放送受信データで定まる表示領域に対して略同サイズ（全領域）である場合、オリジナルの放送受信データから比較的多くの情報量を間引くことによって、画面の解像度に適するように、オリジナルの放送受信データで定まる表示領域の内容全体を表示させることができる。
一方、前記表示領域設定処理手段により設定された表示領域が、オリジナルの放送受信データで定まる表示領域に対して小さいサイズ（一部分の領域）である場合、前述の表示よりも情報量の間引きを少なくすることが可能であり、画面の解像度に適するように、オリジナルの放送受信データで定まる表示領域の一部分の領域を拡大させて表示させることができる。従って、全表示領域を表示させた状態から、表示領域の一部分を拡大させる場合、単に全表示領域の一部を抜き出し拡大表示させると、画像の解像度が荒くなり画質が低下するが、前記オリジナルの放送受信データから表示サイズの大きさに応じた間引き処理を行うことによって、画面の解像度に適した表示を行うことができ、画質の低下や画像のボケを生じることも無く、人物等の映像や文字や図形等をはっきりと表示させることができる。
また、前記全画面表示切換判断手段により前記全画面表示に切り換えると判断された場合、前記オリジナルの放送受信デ−タの情報量を間引く制御を行って、前記オリジナルの放送受信デ−タで定まる表示領域が前記画面に表示させるので、番組内容の全体像を使用者に適切に把握させることができる。
【００１２】
また、本発明に係る表示装置（２）は、上記表示装置（１）において、前記オリジナルの放送受信データの内容全体を示す画像範囲から、前記画面に表示させる領域の大きさ情報を使用者が登録するための表示領域情報登録手段と、該表示領域情報登録手段により登録された大きさ情報を含む前記表示領域の大きさ情報が記憶される表示領域情報記憶手段と、該表示領域情報記憶手段に記憶された前記表示領域の大きさ情報の中から使用者が所望の大きさの表示領域を設定するための表示領域設定可能手段とを備え、前記制御手段が、前記表示領域設定可能手段により設定された表示領域の放送受信データを前記画面に表示させるように、前記オリジナルの放送受信デ−タの情報量を間引く制御を行うものであることを特徴としている。
【００１３】
上記表示装置（２）によれば、使用者は、前記表示領域情報記憶手段に記憶された前記表示領域の大きさ情報の中から、前記表示領域設定可能手段により所望の大きさの表示領域を自由に設定して、該表示領域における放送受信データを、前記オリジナルの放送受信デ−タの情報量を前記表示領域に応じて間引いた形態で前記画面に表示させることができる。したがって、簡単な操作により自分が見たい大きさの表示領域を設定して、表示画像を拡縮表示させることができ、見たい内容を見易く表示させることができる。
また、前記表示領域登録手段により、前記使用者が、自分の好みに応じた前記表示領域の大きさ情報を登録することができ、前記使用者の好みに応じて、表示内容がより見やすくなるように前記表示領域を設定することができる。
【００１４】
また、本発明に係る表示装置（３）は、上記表示装置（１）又は（２）において、画面上の位置を指定することのできる位置指定手段を備え、前記制御手段が、前記位置指定手段により画面上の位置が指定された場合、指定された位置の表示画像を前記画面の中心部に位置させて表示させるものであることを特徴としている。
【００１５】
上記表示装置（３）によれば、使用者が見たい部分を前記位置指定手段により指定するだけで簡単に前記画面の中心部に前記表示画像を表示させることができ、詳しく見たい部分を見やすく、必要な情報を把握しやすいものとすることができる。
【００１６】
また、本発明に係る表示装置（４）は、上記表示装置（３）において、前記制御手段が、前記位置指定手段により指定された位置の表示画像を前記画面の中心部に位置させて表示させる場合、予め設定された表示領域を表示させるように、前記オリジナルの放送受信デ−タの情報量を間引く制御を行うものであることを特徴としている。
【００１７】
上記表示装置（４）によれば、前記位置指定手段により指定された位置の表示画像が前記画面の中心部に表示される場合、予め設定された表示領域の放送受信データを、前記オリジナルの放送受信デ−タの情報量を前記表示領域に応じて間引いた形態で表示されるので、例えば、指定された位置に応じて前記表示領域を設定しておくことで、指定された位置に対応した適切な表示領域で表示させることができ、見たい内容をより見やすいものとすることができる。
【００２２】
また、本発明に係る表示装置（５）は、上記表示装置（１）〜（４）のいずれかにおいて、前記全画面表示切換判断手段が、表示チャンネルの変更があった場合に前記全画面表示に切り換えると判断するものであることを特徴としている。
【００２３】
上記表示装置（５）によれば、前記表示チャンネルの変更があった場合に前記全画面表示に切り換えると判断して、全画面表示されるので、変更した表示チャンネルの番組内容の全体像を使用者に速やかに把握させることができ、見たいチャンネルの選択をスム−ズに行うことができる。
【００２４】
また、本発明に係る表示装置（６）は、上記表示装置（１）〜（４）のいずれかにおいて、前記全画面表示切換判断手段が、表示番組が変わった場合に前記全画面表示に切り換えると判断するものであることを特徴としている。
【００２５】
上記表示装置（６）によれば、前記表示番組が変わった場合に前記全画面表示に切り換えると判断して、全画面表示されるので、いち早く変わった番組の内容を使用者に把握させることができ、見たい番組の選択をスム−ズに行うことができる。
【００２８】
また、本発明に係る表示装置（７）は、上記表示装置（１）〜（６）のいずれかにおいて、前記車両が走行中であるか否かを判断する車両走行判断手段と、該車両走行判断手段により車両が走行中であると判断された場合、使用者による操作を禁止する設定を行う操作禁止設定手段とを備えていることを特徴としている。
【００２９】
上記表示装置（７）によれば、前記車両が走行中である場合、前記使用者による操作が禁止されるので、走行中に運転者が操作に気を取られることがなくなり、車両走行時の安全性を高めることができる。
【００３０】
また、本発明に係る表示装置（８）は、上記表示装置（７）において、前記制御手段が、前記車両走行判断手段により車両が走行中であると判断された場合、前記放送受信デ−タの表示を中断させるものであることを特徴としている。
【００３１】
上記表示装置（８）によれば、前記車両が走行中である場合、前記放送受信デ−タの表示が中断されるので、走行中に運転者が画面に気を取られることがなくなり、車両走行時の安全性を高めることができる。
【００３２】
また、本発明に係る表示装置（９）は、上記表示装置（７）において、前記制御手段が、前記車両走行判断手段により車両が走行中であると判断された場合、前記放送受信デ−タをコマ送りにして表示させるものであることを特徴としている。
【００３３】
上記表示装置（９）によれば、前記車両が走行中である場合、前記放送受信デ−タをコマ送りにして表示させ、表示内容の変更を緩やかに行うことにより、運転者の画面への注視を防止することができ、車両走行時の安全性を高めることができる。
【００３４】
また、本発明に係る表示装置（１０）は、上記表示装置（７）において、運転手による操作か否かを検出する運転手操作検出手段からの運転手操作検出信号に基づいて、前記運転手による操作か否かを判断する運転手操作判断手段と、該運転手操作判断手段により前記運転手による操作ではないと判断された場合、前記車両が走行中であっても、前記運転手以外の使用者による操作を許可する設定を行う操作許可設定手段とを備えていることを特徴としている。
【００３５】
上記表示装置（１０）によれば、前記車両が走行中であっても、前記運転手以外の使用者による操作であれば、操作を許可する設定が行われるので、例えば、助手席の人が操作した場合や後部座席で使用している場合などであれば、前記運転手以外の使用者は、前記車両が走行中であっても通常通りに操作を行うことができ、しかも表示映像も楽しむことができ、同乗者にとって快適なものとすることができる。
【００３６】
【発明の実施の形態】
以下、本発明に係る表示装置の実施の形態を図面に基づいて説明する。図１は、実施の形態（１）に係る車載用表示装置の要部を概略的に示したブロック図を示している。
【００３７】
車載用表示装置１０は、ディジタル放送の受信機能を有する受信部１１と、受信部１１で受信した放送受信デ−タを記憶する受信デ−タメモリ１２と、表示領域を自動的に設定する処理を行う表示領域設定処理部１３と、設定された表示領域の描画処理を行う描画処理部１４と、描画処理部１４において描画された画像デ−タを一時的に記憶するＶＲＡＭ（Video Random Access Memory) １５と、ＶＲＡＭ１５から読み出された前記画像デ−タが表示される表示ディスプレイ１６と、これら各部を制御するとともに、リモコン等の操作部１７からの出力信号の制御など、ユ−ザインタ−フェ−スのための処理等も行う制御部１８とを含んで構成されている。
【００３８】
受信部１１は、アンテナ１１ａを介してディジタル放送の電波を受信し、ディジタル信号に復調し、誤り訂正後、操作部１７を介して選択されたチャンネルの映像や音声等のデコ−ドに必要な信号を抜き出し、ＭＰＥＧ（Moving Picture Coding Expert Group) ２方式でディジタル化された画像や音声等の信号のデコ−ドを行うディジタルチュ−ナとしての機能を備えており、車載用表示装置１０に内蔵、もしくは外付けで接続されるようになっている。
【００３９】
表示領域設定処理部１３は、受信デ−タメモリ１２から読み出された放送受信デ−タの表示領域を該放送受信デ−タのコンテンツ内容やジャンルに応じて自動的に設定するようになっており、情報量の多いディジタルハイビジョン放送のオリジナルの放送受信デ−タを利用して、オリジナルの表示内容に合わせて表示領域を自動的に設定して、画質を劣化させることなく拡大表示させたり、デ−タ放送の細かな文字などを大きくしかもハッキリと映し出すための表示領域の設定処理が行われるようになっている。
【００４０】
また、描画処理部１４は、表示領域設定処理部１３で設定された表示領域の放送受信デ−タの描画処理を行い、描画した画像デ−タをＶＲＡＭ１５に記憶するようになっている。
【００４１】
また、表示ディスプレイ１６は、６〜８インチ程度の液晶パネルで構成されるものであり、そのピクセル数は１１万から３９万ピクセル程度の解像度を有するものを採用することができ、ＶＲＡＭ１５から読み出された画像デ−タが表示されるようになっている。
【００４２】
また、操作部１７は、表示ディスプレイ１６の周辺部に設けられた操作スイッチやリモコン等により構成されており、前記操作スイッチや前記リモコン等を介して入力された操作信号が制御部１８に入力され、前記操作信号に応じた処理が制御部１８で行われるようになっている。
【００４３】
図２は、表示領域設定処理部１３で行われる表示領域の設定処理を説明するための図である。
また、図３は、表示領域が設定処理された放送番組の表示ディスプレイ１６への表示形態を説明するための図であり、（ａ）は、オリジナルの放送受信デ−タの番組内容を示しており、（ｂ）及び（ｃ）は、オリジナルの放送受信デ−タに対して設定された表示領域での表示形態を示している。
【００４４】
図３（ａ）に示したディジタルハイビジョン放送のオリジナルの放送受信デ−タは、有効走査線数１０８０、有効水平画素数１９２０、アスペクト比１６：９の映像フォ−マット等で構成されており、標準テレビ放送（ＮＴＳＣ）のデ−タと比べ約５倍の情報量が含まれており、表示ディスプレイ１６への表示に利用される情報量に対して受信する情報量の方が圧倒的に多い状態となっている。
【００４５】
したがって、解像度が十分なレベルにない表示ディスプレイ１６では、高画質の映像を忠実に再現することが困難であり、オリジナルの放送受信デ−タの情報量から、かなりの情報量を間引くことにより、オリジナルの放送受信デ−タの表示領域全体を表示させるようになっている。
【００４６】
図２に示した表示領域（％）とは、オリジナルの放送受信デ−タで表示することのできる表示領域に対する実際に表示ディスプレイ１６に表示される表示領域の割合を示しており、例えば、１００％に設定された場合には、図３（ｂ）に示すように表示ディスプレイ１６にオリジナルの放送受信デ−タで表示することのできる表示領域全体が表示され、また、２０％に設定された場合には、図３（ｃ）に示すように表示ディスプレイ１６にオリジナルの放送受信デ−タで表示することのできる表示領域の２０％が表示されるようになっている。なお、本実施の形態では、表示領域（％）が１００％の状態を基準として、表示領域の設定が行われるようになっている。
【００４７】
また、本実施の形態では設定される表示領域を（％）で示したが、整数比等で示してもよく、要は、画像ボケを生じさせない任意の値に設定されるようになっていればよい。
【００４８】
また、間引き情報量とは、表示領域（％）が決定された場合に、表示ディスプレイ１６の解像度に基づいて、設定された表示領域（％）で放送受信デ−タを表示ディスプレイ１６に表示させるために間引かれる情報量のことである。
【００４９】
図２に示すように、表示領域（％）が高いほど、表示ディスプレイ１６にオリジナルの放送受信デ−タの広範囲の領域の内容を表示させないといけないため（図３（ｂ）参照）、間引き情報量は大となり、人物や文字等の表示物は小さく、オリジナルの内容全体が表示されるようになっている。
【００５０】
一方、表示領域（％）が低いほど、オリジナルの放送受信デ−タに対する表示領域が小さくなるため（図３（ｃ）参照）、表示される領域における間引き情報量が小となり、人物や文字等の表示物の大きさは、表示領域（％）が高い場合と比べて相対的に大きく、拡大された状態で表示されるようになっている。このとき、拡大表示されても、間引き情報量が少なくなるだけなので、画質が低下して、画像がボケたりすることもなく、人物等の映像や文字や図形等をハッキリと表示させることができるようになっている。
【００５１】
次に実施の形態（１）に係る車載用表示装置の制御部１８の行う処理動作を図４に示したフロ−チャ−トに基づいて説明する。なお、本処理動作は、チャンネル選択時や番組内容の変更時に実行される。
【００５２】
まず、ステップＳ１では、チャンネル変更又は番組の変更があったか否かを判断し、チャンネル変更又は番組の変更があったと判断すれば、ステップＳ２に進み、ステップＳ２では、表示領域設定処理部１３に、放送受信デ−タに対する表示領域（％）を設定させる処理を行い、ステップＳ３に進む。
【００５３】
ステップＳ３では、描画処理部１４に、設定された表示領域（％）の前記放送受信デ−タを描画させる処理を行い、描画された画像デ−タをＶＲＡＭ１５に記憶して、ステップＳ４に進む。
【００５４】
ステップＳ４では、表示する画像デ−タをＶＲＡＭ１５から読み出し、表示ディスプレイ１６に出力し、任意に設定された表示領域（％）の画像を表示させる処理を行い、処理を終了する。
【００５５】
上記実施の形態（１）に係る車載用表示装置によれば、表示領域設定部１３において、放送受信デ−タの表示領域が自動的に設定されるので、例えば、表示される番組内容に応じて前記表示領域が見やすい大きさに設定されるようになり、表示ディスプレイ１６の画面サイズが小さくても、映像等の表示画像が見やすく、また文字等の内容も把握しやすくなる。しかも、前記放送受信デ−タの情報量が多いので、そのデ−タを利用して、拡大して表示させても画質を劣下させることなく、小さな文字等でも、拡大してハッキリと映し出すことができる。
【００５６】
なお、上記実施の形態（１）では、ステップＳ１において、チャンネル変更又は番組の変更があったか否かを判断し、チャンネル変更又は番組の変更があったと判断した場合に、表示領域（％）を任意に設定するようになっているが、別の実施の形態では、チャンネル変更又は表示番組の変更があった場合には、まず、表示領域（％）を１００％に設定し、オリジナルの放送受信デ−タの全体像を表示させる全画面表示を行う設定としておき、その後、前記放送受信デ−タに含まれる識別信号のようなものに基づいて、番組内容に応じて表示領域（％）を自動的に設定し、表示領域の変更が行われるようになっていてもよい。
【００５７】
なお、上記実施の形態（１）では、解像度が十分なレベルにない表示ディスプレイ１６を使用した場合について説明したが、表示ディスプレイ１６の解像度が高くなり、６〜８インチ程度の表示ディスプレイにおいてもディジタル放送の放送受信デ−タの情報を間引くことなく全体を表示させることができるようになった場合には、例えば、画質が劣下しない範囲で、情報量を間引くことなく拡大表示させるようにすることができ、上記と同様の効果を得ることができる。
【００５８】
次に実施の形態（２）に係る車載用表示装置について説明する。図５は、実施の形態（２）に係る車載用表示装置の要部を概略的に示したブロック図である。但し、ここでは図１に示した車載用表示装置と異なる機能を有する制御部１８ａ、表示領域設定処理部１３ａには異なる符号を付し、同一機能を有する他の構成部品については、同一符号を付して、その説明を省略する。
【００５９】
実施の形態（２）に係る車載用表示装置が、実施の形態（１）に係る車載用表示装置と相違する点は、使用者の好みで表示領域を設定できるように表示領域が記憶されたプリセットメモリ（表示領域情報記憶手段）１９を備えている点である。
【００６０】
図６は、表示ディスプレイ１６に表示される表示領域の表示例を示している。操作部１７に設けられている表示領域を読み出すためのプリセットボタン（表示領域設定可能手段）（図示せず）が押されると、プリセットメモリ１９に記憶されている表示領域が読み出され、図６に示すように表示ディスプレイ１６に表示領域が表示される。そして、操作部１７のキ−操作等により使用者の好みの表示領域が選択され、確定操作の入力信号が制御部１８ａで検出されると、表示領域設定処理部１３ａで、選択された表示領域の設定処理が行なわれるようになっている。
【００６１】
また、上記のように使用者が適当に選択できるように、表示領域が予め適当な値に設定されている場合の他に、使用者自身で、お好みの表示領域を設定することもできるようになっている。
【００６２】
前記お好み表示領域の登録方法としては、例えば、使用者が操作部１７に設けられたプリセットボタン（表示領域情報登録手段としての機能も有する）を長押しすると、表示ディスプレイ１６に表示領域の登録画面が表示され、操作部１７に設けられたｕｐ／ｄｏｗｍキ−や１０キ−（いずれも図示せず）等を利用して予め設定された範囲内の表示領域を好みに応じて設定して、登録操作を行うことにより、お好みの表示領域が登録されるようになっている。
【００６３】
次に、実施の形態（２）に係る車載用表示装置における制御部１８ａの行う処理動作を図７に示したフロ−チャ−トに基づいて説明する。なお、本処理動作は、図４に示したステップＳ４において、自動的に設定された表示領域（％）の放送受信デ−タの表示ディスプレイ１６への表示処理が行われた後に実行される。
【００６４】
まず、ステップＳ１１では、表示領域（％）を読み出すためのプリセットボタンの入力があったか否かを判断し、プリセットボタンの入力があったと判断すれば、ステップＳ１２に進む。ステップＳ１２では、プリセットメモリ１９に登録されている表示領域（％）の読み出し、及び表示ディスプレイ１６への表示処理を行ない、ステップＳ１３に進む。
【００６５】
ステップＳ１３では、表示された表示領域（％）の選択・確定入力があったか否かを判断し、表示領域（％）の選択・確定入力があったと判断すれば、ステップＳ１４に進む。ステップＳ１４では、表示領域設定処理部１３ａにおいて、選択・確定入力された表示領域（％）に設定させる処理を行い、ステップＳ１５に進む。
【００６６】
ステップＳ１５では、描画処理部１４に、設定された表示領域（％）で再描画させる処理を行い、再描画された画像デ−タをＶＲＡＭ１５に記憶して、ステップＳ１６に進む。ステップＳ１６では、ＶＲＡＭ１５から画像デ−タを読み出し、表示ディスプレイ１６に出力し、選択設定された表示領域（％）の画像を表示させる処理を行い、処理を終了する。
【００６７】
一方、ステップＳ１１において、プリセットボタンの入力がなかったと判断した場合、及びステップＳ１３において、表示領域（％）の選択・確定入力がなかったと判断した場合には、処理を終了する。
【００６８】
上記実施の形態（２）に係る車載用表示装置によれば、使用者は、プリセットメモリ１９に記憶された表示領域に関する情報の中から、プリセットボタン等の操作により所望の表示領域（％）を自由に設定して、設定された表示領域（％）の放送受信デ−タを表示ディスプレイ１６に表示させることができる。
【００６９】
したがって、使用者は、簡単な操作により表示領域（％）を自分の好みに応じて設定して、表示領域を変えて画像を表示させることができ、見たい部分を見やすく表示させることができる。
【００７０】
また、プリセットボタンを利用して、使用者が、自分の好みに応じた表示領域を登録することができ、使用者の好みに応じて、表示内容がより見やすくなるように表示領域を設定することができる。
【００７１】
なお、上記実施の形態（２）では、プリセットボタンで使用者のお好みの表示領域（％）に設定した後は、使用者が再度設定するまでは、同じ表示領域（％）で表示されるようになっているが、別の実施の形態では、ステップＳ１６において、使用者のお好みの表示領域（％）に設定して表示させた後、所定時間経過後に、予め設定されていた表示領域（％）に戻して表示させるようにしてもよい。
【００７２】
このように所定時間後に予め設定されていた表示領域（％）に戻して表示させる場合、番組経過に合わせて、見たい内容部分を随時拡大表示させたりすることができ、表示内容をピンポイントで把握しやすくすることができる。
【００７３】
次に実施の形態（３）に係る車載用表示装置について説明する。図８は、実施の形態（３）に係る車載用表示装置の要部を概略的に示したブロック図である。但し、ここでは図１に示した車載用表示装置と異なる機能を有する制御部１８ｂには、異なる符号を付し、同一機能を有する他の構成部品については、同一符号を付して、その説明を省略する。
【００７４】
実施の形態（３）に係る車載用表示装置が、実施の形態（１）に係る車載用表示装置と相違する点は、表示ディスプレイ１６上に、画面上の位置や範囲等を指定する位置指定手段としての機能を有するタッチパネル２０が装備されている点である。
【００７５】
図９は、実施の形態（３）に係る車載用表示装置における表示ディスプレイ１６に表示される番組内容の表示形態を説明するための図であり、図９（ａ）は、タッチパネル２０にタッチ操作される前の番組内容の表示形態を示しており、図９（ｂ）は、図９（ａ）でタッチ操作された位置の画像を画面中心部に位置するように表示した例を示している。
【００７６】
タッチパネル２０には、例えば、感圧式のタッチパネルを採用することができ、指で押された位置座標（ｘ方向、ｙ方向の位置座標）がアナログ電圧値として検出されるようになっている。そして、タッチパネル２０で検出されたｘ、ｙ座標のアナログ電圧値は、デジタル座標デ−タに変換され、制御部１８ｂに出力されるようになっている。
【００７７】
制御部１８ｂでは、タッチパネル２０で検出されたデジタル座標デ−タから、画面中のどの位置が指定されたかを判断し、該判断に基づいて、図９（ｂ）に示すように、図９（ａ）において指定された位置の画像を画面の中心部に位置させるように表示させる処理を行うようになっている。
【００７８】
また制御部１８ｂでは、指定された位置だけでなく、指定された範囲を含む画像を画面に表示させる処理を行うことができるようになっている。
上記範囲の指定及び算出方法は、例えば、タッチパネル２０上で、四角形の枠を指でなぞり、各頂点の座標を検出して範囲を算出したり、対角線を指でなぞり、対角の頂点の座標を検出して範囲を算出したり、楕円状の枠を指でなぞり、楕円状の枠が納まるような領域座標を求め、範囲を算出したりするようになっている。
【００７９】
次に、実施の形態（３）に係る車載用表示装置における制御部１８ｂの行う処理動作を図１０に示したフロ−チャ−トに基づいて説明する。なお、ここでは、本処理動作が、図４に示したステップＳ３において、自動的に設定された表示領域（％）の放送受信デ−タの表示処理後に、タッチパネル２０へのタッチ操作が行われた場合に実行される場合について説明する。
【００８０】
まず、ステップＳ２１では、タッチパネル２０へのタッチ操作があったか否かを判断し、ステップＳ２１において、タッチパネル２０のタッチ操作があったと判断すれば、ステップＳ２２に進む。ステップＳ２２では、タッチ操作が、位置指定か範囲指定かを判断し、位置指定であると判断すれば、ステップＳ２３に進み、タッチ操作された位置指定座標を検出し、ステップＳ２４に進む。
【００８１】
ステップＳ２４では、描画処理部１４で、表示領域（％）の設定は変更せずに、検出された位置指定座標の画像を画面中心部に位置させる描画処理を行い、描画された画像デ−タをＶＲＡＭ１５に記憶して、ステップＳ２５に進む。ステップＳ２５ではＶＲＡＭ１５から前記画像デ−タ読み出し、表示ディスプレイ１６に出力し、位置指定された座標の画像を画面の中心部に位置するように表示させて、処理を終了する。
【００８２】
一方、ステップＳ２２において、タッチ操作が、範囲指定であったと判断すれば、ステップＳ２６に進み、ステップＳ２６では、範囲指定座標の検出を行い、ステップＳ２７に進む。
【００８３】
ステップＳ２７では、指定された範囲の画像を表示させる表示領域を設定する処理を行い、ステップＳ２８に進み、ステップＳ２８では、設定された表示領域での描画処理を行い、描画された画像デ−タをＶＲＡＭ１５に記憶して、ステップＳ２９に進む。
【００８４】
ステップＳ２９では、ＶＲＡＭ１５から前記画像デ−タ読み出して、表示ディスプレイ１６に表示させる処理を行い、指定された範囲の画像を表示させ、処理を終了する。
一方、ステップＳ２１において、タッチパネル２０へのタッチ操作がなかったと判断すれば、処理を終了する。
【００８５】
上記実施の形態（３）に係る車載用表示装置によれば、使用者が見たい部分をタッチパネル２０を介して指定するだけで簡単に表示ディスプレイ１６の中心部に指定された位置の表示画像を表示させることができ、また、タッチパネル２０を介して、詳しく見たい表示範囲を簡単に設定することができ、設定された前記表示範囲の放送受信デ−タを表示ディスプレイ１６に表示させることができ、見たい部分をより見やすく、必要な情報を把握しやすいものとすることができる。
【００８６】
なお、上記実施の形態（３）では、ステップＳ２４において、描画処理部１４で、表示領域（％）の設定は変更せずに、検出された位置指定座標の画像を画面中心部に位置させる描画処理を行うようにしたが、別の実施の形態では、位置指定後は予め指定された表示領域（％）に変更して表示させるように表示領域の設定を行って、描画処理を行うようにしてもよい。
【００８７】
また、上記実施の形態（３）では、画面における座標位置を指定する位置指定手段及び表示範囲を設定する表示範囲設定手段として、タッチパネル２０を採用したが、リモコン等に設けられたジョイスティックなどで、画面上に表示されるカ−ソルの位置合わせを行って、座標位置を指定したり、表示範囲を設定するようにしてもよい。
【００８８】
次に実施の形態（４）に係る車載用表示装置について説明する。但し、実施の形態（４）に係る車載用表示装置の概略構成は、制御部１８ｃを除いて、図１に示した車載用表示装置と略同様であるため、制御部１８ｃには、異なる符号を付し、その他の構成部品の説明をここでは省略する。
【００８９】
ディジタル放送では、知りたい情報をすぐに得られる文字や図形や画像等を含んだマルチメディアコンテンツとしてのデ−タ放送も行われており、該デ−タ放送には、ニュ−ス・スポ−ツ・天気予報などの独立デ−タサ−ビス、放送番組に連動した連動デ−タサ−ビス、及びショッピングなどを楽しめる双方向デ−タサ−ビスなどが含まれる。
【００９０】
デ−タ放送の情報は、例えば、ＢＳディジタル放送のデ−タ放送のために開発されたＢＭＬ（Broadcast Markup Language)や、Ｂ−ＸＭＬ( Broadcast eXtensible Markup Language) などのマルチメディア符号化方式で記述されており、受信部１１は、マルチメディア符号化された情報を画像変換して表示するためのブラウザ機能を備えている。
【００９１】
車載用表示装置１０Ｃでは、デ−タ放送を表示する場合、画面サイズの小さな表示ディスプレイ１６に、オリジナルのデ−タ放送の内容全体を表示させようとすると、小さな文字などは、かなり小さく表示され、しかも全体を表示させるために情報量が間引かれて表示されるので、文字潰れ等が生じ、はっきりと映し出すことが困難となるので、制御部１８ｃでは、小さな文字を画面に表示させない処理を行い、表示させる情報量を減らし、画面構成をスッキリとさせたり、小さな文字を表示する代わりに、別途内容を表示させるための文字格納アイコン等を表示させる処理が行われるようになっている。
【００９２】
図１１は、実施の形態（４）に係る車載用表示装置における表示ディスプレイ１６に表示されるデ−タ放送の表示形態を説明するための図である。
図１１（ａ）には、オリジナルのデ−タ放送の表示内容全体が示されており、選択チャンネル（ＢＳ日テレ）の放送番組（NEWS、SPORTS、ENTERTAINMENT ）の映像及び、番組内容の文字情報等が表示されるようになっている。オリジナルのデ−タ放送の表示内容全体を表示ディスプレイ１６に表示させようとすると番組内容の文字情報の文字がかなり小さく表示され、見えにくくなってしまう。
【００９３】
図１１（ｂ）は、小さな文字を含んでいる番組内容の文字情報を表示させないように設定された場合の表示例を示している。表示される文字サイズが所定サイズより小さい場合及び／又は文書の文字数が所定数より多い場合に、その文字情報を表示させないように設定することができるようになっている。
【００９４】
また、図１１（ｂ）において文字情報が減らされた部分に、文字情報が表示されていないことを使用者に知らせ、拡大表示させるための文字格納アイコンが表示されている場合の表示例を図１１（ｃ）に示している。
【００９５】
この場合、前記文字格納アイコンが、タッチパネルやリモコン等の操作部１７を通じて、選択されると、表示されていない文字情報が、見やすい文字サイズに拡大された状態で画面上に表示されるようになっている。
【００９６】
次に、実施の形態（４）に係る車載用表示装置における制御部１８ｃの行う処理動作を図１２に示したフロ−チャ−トに基づいて説明する。なお、本処理動作は、デ−タ放送の番組選択時に実行される。
【００９７】
まず、ステップＳ３１では、デ−タ放送の番組が選択されたか否かを判断し、デ−タ放送の番組が選択されていないと判断すれば、処理を終了し、一方、ステップＳ３１において、デ−タ放送の番組が選択されたと判断すれば、ステップＳ３２に進む。
【００９８】
ステップＳ３２では、デ−タ放送の番組の表示領域を設定する処理を行い、ステップＳ３３に進む。なお、本実施の形態ではデ−タ放送の番組選択時における表示領域は、内容全体を表示させるために、表示領域（％）が１００％の基準値に設定されるようになっている。
【００９９】
ステップＳ３３では、表示文字サイズが所定サイズより大きいか否かを判断し、表示文字サイズが所定サイズより大きいと判断すれば、ステップＳ３４に進み、ステップＳ３４では、通常通りに文字を描画する処理を行い、描画された文字等の画像デ−タをＶＲＡＭ１５に記憶し、ステップＳ３８に進む。
【０１００】
一方、ステップＳ３３において、表示文字サイズが所定サイズより大きくない、すなわち所定サイズ以下であると判断すれば、ステップＳ３５に進む。ステップＳ３５では、所定サイズ以下の小さな文字を表示する代わりの代替指定があるか否かを判断し、代替指定があると判断すれば、ステップＳ３６に進み、ステップＳ３６では、所定サイズ以下の小さな文字を描画する代わりに文字格納アイコンを描画する処理を行い、描画された文字格納アイコン等の画像デ−タをＶＲＡＭ１５に記憶し、ステップＳ３８に進む。
【０１０１】
一方ステップＳ３５において、代替指定がないと判断すれば、ステップＳ３７に進み、小さなサイズの文字を描画しない処理を行い、小さな文字が描画されていない画像デ−タをＶＲＡＭ１５に記憶し、ステップＳ３８に進む。
【０１０２】
ステップＳ３８では、ＶＲＡＭ１５から各画像デ−タを読み出し、表示ディスプレイ１６に出力し、小さな文字情報が表示されていない、又は文字格納アイコンが表示された画像を表示させる処理を行い、処理を終了する。
【０１０３】
次に、実施の形態（４）に係る車載用表示装置における制御部１８ｃの行う別の処理動作を図１３に示したフロ−チャ−トに基づいて説明する。なお、本処理動作は、図１２に示したデ−タ放送の番組表示処理後に実行される。
【０１０４】
ステップＳ４１では、所定サイズ以下の小さな文字を表示する代わりに表示されている文字格納アイコンの選択があったか否かを判断し、文字格納アイコンの選択がなかったと判断すれば、処理を終了し、一方、ステップＳ４１において、文字格納アイコンの選択があったと判断すれば、ステップＳ４２に進む。
【０１０５】
ステップＳ４２では、選択された文字格納アイコンの表示により表示されていなかった文字情報を表示させる処理を行い、ステップＳ４３に進む。前記文字情報の表示は、例えば、文字がはっきりと見える大きさに拡大して表示されるようになっている。
【０１０６】
ステップＳ４３では、所定時間経過したか否かを判断し、所定時間経過していないと判断すれば、ステップＳ４３に戻り、一方、所定時間経過したと判断すれば、ステップＳ４４に進み、元の文字格納アイコンの表示状態に戻す処理を行い、処理を終了する。
【０１０７】
上記実施の形態（４）に係る車載用表示装置によれば、デ−タ放送の番組を表示させる場合に、小さな文字や長い文章等の文字情報が含まれているときには、前記文字情報を表示させないか、もしくは、前記文字情報が表示されていないことを示す文字格納アイコンを代わりに表示させることにより、表示内容を少なくして、視認性を高めることができ、車両等に搭載された場合に運転者の注視等を防いで、走行時の安全性を高めることができ、表示内容の概略を適切に把握させることができる。また、前記文字格納アイコンが選択されると、表示されなかった前記文字情報が、文字を拡大して表示されるので、前記文字情報が見やすく、その内容を使用者に把握させやすくすることができる。
【０１０８】
次に実施の形態（５）に係る車載用表示装置について説明する。図１４は、実施の形態（５）に係る車載用表示装置の要部を概略的に示したブロック図である。但し、ここでは図１に示した車載用表示装置と同一機能を有する構成部品については、同一符号を付して、その説明を省略する。
【０１０９】
実施の形態（５）に係る車載用表示装置と、実施の形態（１）に係る車載用表示装置とでは制御部１８ｄが相違しており、制御部１８ｄは、制御部１８ｄに接続された、運転手による操作か否かを検出する運転手操作検出手段２１で検出された運転手操作検出信号に基づいて、運転手による操作か否かを判断したり、制御部１８ｄに接続された、車両の走行状態を検出する走行状態検出手段２２で検出された走行状態検出信号に基づいて、車両が走行中であるか否かを判断することができるようになっている。
【０１１０】
制御部１８ｄでは、上記判断に基づいて、走行中における運転手の操作を禁止したり、走行中における画像表示を中断したり、コマ送り表示にする設定が行われるようになっている。
【０１１１】
また、運転手操作検出手段２１としては、例えば、表示ディスプレイ１６の左右どちら側から操作が行われたか、すなわち運転席側から操作が行われたことを検出するための、温度検出に用いられるサ−モグラフィ等の温度センサや、人体から放射される赤外線を感知する赤外線センサや、障害物を検出する超音波センサなどの操作感知手段や、表示ディスプレイ１６の向きの設定（運転席側に向いているか、あるいは助手席側に向いているか）を検出する画面向検出手段や、後部座席に設置されている場合等、運転手が操作ができない位置に設置されているかどうかを検出する設置位置検出手段などが採用される。
【０１１２】
また、走行状態検出手段２２としては、車速センサ、シフトレバ−ポジションスイッチ、又はパ−キングブレ−キスイッチなどが採用され、また、ナビゲ−ション装置と接続されていれば、該ナビゲ−ション装置に接続された車速センサ、ジャイロセンサ、及びＧＰＳ受信機などで検出された走行状態の検出信号が採用される。
【０１１３】
次に実施の形態（５）に係る車載用表示装置の制御部１８ｄが行う処理動作を図１５に示したフロ−チャ−トに基づいて説明する。
まず、ステップＳ５１では、走行状態検出手段２２で検出された走行検出信号に基づいて、車両が走行中であるか否かを判断し、車両が走行中であると判断すれば、ステップＳ５２に進み、ステップＳ５２では、使用者による操作があったか否かを判断する。
【０１１４】
ステップＳ５２において、使用者による操作がなかったと判断すれば、ステップＳ５１に戻り、一方、ステップＳ５２において、使用者による操作があったと判断すれば、ステップＳ５３に進む。ステップＳ５３では、操作が運転手によるものか否かを判断し、操作が運転手によるものであると判断すれば、ステップＳ５４に進み、ステップＳ５４では、運転手による操作を禁止する設定処理を行い、ステップＳ５５に進む。
【０１１５】
ステップＳ５５では、放送受信デ−タの表示設定条件を判断し、画像表示しない設定条件であると判断すれば、ステップＳ５６に進む。ステップＳ５６では、放送受信デ−タの表示を中断させる設定処理を行い、処理を終了する。
【０１１６】
一方、ステップＳ５５において、コマ送り表示の設定条件であると判断すれば、ステップＳ５７に進み、ステップＳ５７では、放送受信デ−タをコマ送り表示させる処理を行い、処理を終了する。なお、前記コマ送り表示は、ＭＰＥＧ２方式で圧縮された放送受信デ−タにおいて、動き補償を用いた予測符号化のために採用されているＧＯＰ（グル−プ・オブ・ピクチャ−ズ）構造に含まれているＩ（イントラ）ピクチャ−（画面内だけで圧縮をした静止画）のみを表示させることにより、画像のコマ送り表示を行うことができるようになっている。
【０１１７】
また、ステップＳ５１で、車両が走行中ではないと判断した場合、又はステップＳ５３において、操作が運転手によるものではない、すなわち運転手以外の操作であると判断した場合には、ステップＳ５８に進み、使用者による操作を許可する設定処理を行い、ステップＳ５９に進み、ステップＳ５９では、放送受信デ−タを表示させる通常の表示処理を行い、処理を終了する。
【０１１８】
上記実施の形態（５）に係る車載用表示装置によれば、車両が走行中である場合、運転者による操作が禁止されるので、走行中に運転者が操作に気を取られることがなくなり、車両走行時の安全性を高めることができる。
【０１１９】
また、前記表示設定条件が画像表示しない設定の場合、前記放送受信デ−タの表示が中断されるので、走行中に運転者が画面に気を取られることがなくなり、走行時の安全性を高めることができ、また前記表示設定条件がコマ送り表示する設定の場合、前記放送受信デ−タをコマ送り表示して、表示内容の変更を緩やかに行うことで、運転者の画面の注視を防止することができ、車両走行時の安全性を高めることができる。
【０１２０】
また、前記車両が走行中であっても、前記運転手以外の使用者による操作であれば、操作を許可する設定が行われるので、例えば、助手席の人が操作した場合や後部座席で使用している場合などであれば、走行中であっても通常の操作を行うことができ、運転手以外の使用者は表示映像を楽しむことができ、同乗者にとって快適なものとすることができる。
【０１２１】
なお、上記実施の形態（１）〜（５）では、車載用表示装置に適用した場合について説明したが、適用される表示装置は車載用に限られるものではなく、ディジタル放送の番組を表示可能な小型の表示装置であればよく、例えば携帯情報端末や、携帯型ディジタルテレビ等にも適用することができる。
【図面の簡単な説明】
【図１】  本発明の実施の形態（１）に係る車載用表示装置の要部を概略的に示したブロック図である。
【図２】  実施の形態（１）に係る車載用表示装置における表示領域設定処理部の行う表示領域の設定処理を説明するための図である。
【図３】  （ａ）〜（ｃ）は、実施の形態（１）に係る車載用表示装置における表示ディスプレイに表示される番組内容の表示形態を説明するための図である。
【図４】  実施の形態（１）に係る車載用表示装置における制御部の行う処理動作を示したフロ−チャ−トである。
【図５】  本発明の実施の形態（２）に係る車載用表示装置の要部を概略的に示したブロック図である。
【図６】  実施の形態（２）に係る車載用表示装置における表示ディスプレイに表示される表示領域の表示例を示した図である。
【図７】  実施の形態（２）に係る車載用表示装置における制御部の行う処理動作を示したフロ−チャ−トである。
【図８】  本発明の実施の形態（３）に係る車載用表示装置の要部を概略的に示したブロック図である。
【図９】  （ａ）、（ｂ）は、実施の形態（３）に係る車載用表示装置における表示ディスプレイに表示される番組内容の表示形態を説明するための図である。
【図１０】  実施の形態（３）に係る車載用表示装置における制御部の行う処理動作を示したフロ−チャ−トである。
【図１１】  実施の形態（４）に係る車載用表示装置における表示ディスプレイに表示されるデ−タ放送の表示形態を説明するための図である。
【図１２】  実施の形態（４）に係る車載用表示装置における制御部の行う処理動作を示したフロ−チャ−トである。
【図１３】  実施の形態（４）に係る車載用表示装置における制御部の行う処理動作を示したフロ−チャ−トである。
【図１４】  本発明の実施の形態（５）に係る車載用表示装置の要部を概略的に示したブロック図である。
【図１５】  実施の形態（５）に係る車載用表示装置における制御部の行う処理動作を示したフロ−チャ−トである。
【符号の説明】
１０、１０Ａ、１０Ｂ、１０Ｃ、１０Ｄ  車載用表示装置
１１  受信部
１２  受信デ−タメモリ
１３、１３ａ  表示領域設定処理部
１４  描画処理部
１５  ＶＲＡＭ
１６  表示ディスプレイ
１７  操作部
１８、１８ａ、１８ｂ、１８ｃ、１８ｄ  制御部
１９  プリセットメモリ
２０  タッチパネル
２１  運転手操作検出手段
２２  走行状態検出手段
【図１】
0004043241.tif 000002
【図２】
0004043241.tif 000003
【図３】
0004043241.tif 000004
【図４】
0004043241.tif 000005
【図５】
0004043241.tif 000006
【図６】
0004043241.tif 000007
【図７】
0004043241.tif 000008
【図８】
0004043241.tif 000009
【図９】
0004043241.tif 000010
【図１０】
0004043241.tif 000011
【図１１】
0004043241.tif 000012
【図１２】
0004043241.tif 000013
【図１３】
0004043241.tif 000014
【図１４】
0004043241.tif 000015
【図１５】
0004043241.tif 000016